(57)【要約】      （修正有）【課題】徘徊したまま戻らない身元不明の老人が多数保護され、大きな社会問題となっているが、こうした徘徊老人の身元を特定できる身元確認システムを提供する。【解決手段】徘徊老人の身元確認方法であって、樹脂フィルムに印刷され、個人情報が記録された二次元コードシール１と、前記二次元コードシール１を人体の一部に貼り付け、前記二次元コードシール１に記録された個人情報を読取機で読取ることで、個人を特定する。【選択図】図１
0003196437.tif 000002
【実用新案登録請求の範囲】
【請求項１】
徘徊老人の身元確認システムであって、
樹脂フィルムに印刷され、人体の一部に貼り付け可能な個人情報が記録された二次元コードシールと、
前記二次元コードシールに記録された個人情報を読取機で読取る手段、
から構成されることを特徴とする徘徊老人の身元確認システム。
【請求項２】
二次元コードが、バーコード又はマトリックス型二次元コードである、
ことを特徴とする請求項２に記載の徘徊老人の身元確認システム。
【請求項３】
前記二次元コードシールは、手又は足の爪に貼り付けるシールである、
ことを特徴とする請求項１又は２に記載の徘徊老人の身元確認システム。
【請求項４】
手又は足の爪に貼り付けた前記二次元コードシールの表面を塗布する光硬化性樹脂と、当該光硬化性樹脂を硬化させるＬＥＤライトを更に有する、
ことを特徴とする請求項３に記載の徘徊老人の身元確認システム。
【請求項５】
前記二次元コードに記録される個人情報は、少なくとも氏名、生年月日、現住所、連絡先電話番号であり、更には血液型、持病、服用薬等の医療情報である、
ことを特徴とする請求項１ないし４のいずれか１項に記載の徘徊老人の身元確認システム。
【考案の詳細な説明】
【技術分野】
【０００１】
本願考案は、近年大きな社会問題化しつつある徘徊老人の身元確認システムに関する。
【背景技術】
【０００２】
本格的な高齢化社会を迎える我が国は、痴ほう症やアルツハイマー病等によって、家族や介護福祉士が知らない間に勝手に外出し、徘徊したまた戻らない身元不明の老人が多数保護され、大きな社会問題となっている。
【０００３】
こうした徘徊老人の身元を特定できるよう、衣服や靴に名札を付けたり、或いは個人情報が記録された二次元コードを付した札を携帯できるようにするなどの工夫がなされている（特許文献１、２、３参照）
【０００４】
また、入れ歯に電子タグを組み込み、個人を特定する方法も提案されている（特許文献  ４参照）。
【０００５】
しかしながら特許文献１、２、３に開示された方法では、全ての衣服や靴等に名札を付けなければならず、縫い付け作業も大変な上に、パジャマや下着姿のままで徘徊されてしまうと、身元を特定できない。また、首から下げて携帯するような札等では、老人がこれを勝手に外してしまうと言う問題がある。
【０００６】
また、特許文献４のようにマイクロチップ等を入れ歯に埋め込むことはアイデアとしては成立するが、現実的ではない。また、入れ歯をし忘れていた場合には、身元を特定できない。
【０００７】
また上記特許文献以外にも、ＧＰＳ機能を利用した追跡システム等も提案されているが、コストがかかる上、発信機を外して徘徊された場合には、追跡のしようがない。
【先行技術文献】
【特許文献】
【０００８】
【特許文献１】特開２００２−８２６１９号公報
【特許文献２】登録実用新案第３０４１２０５号
【特許文献３】登録実用新案第３０２６５６６号
【特許文献４】登録実用新案第３１３９６３５号
【考案の概要】
【考案が解決しようとする課題】
【０００９】
本願考案は、上記した先行技術が有する課題、問題を克服し、簡単かつ簡素な構成で、どのような格好で徘徊されても、容易に身元を特定できるようにしたものである。
【課題を解決するための手段】
【００１０】
本願考案は、徘徊老人の身元確認システムであって、樹脂フィルムに印刷され、人体の一部に貼り付け可能な個人情報が記録された二次元コードシールと、前記二次元コードシールに記録された個人情報を読取機で読取る手段、から構成されることを特徴とする。
【考案の効果】
【００１１】
本願考案によれば、体の一部、特には手の親指の爪、或いは足の親指の爪の表面に、個人情報が記録されたバーコード或いはマトリックス型二次元コードシールを貼り付け、その上から光硬化樹脂であるジェルネイル等で強固にコーティングすることで、どのような格好で徘徊されても、容易に身元情報、連絡先を特定できる。
【００１２】
一般に市販されているジェルネイルを利用することで誰でも簡単に利用可能であるとともに、約１カ月程度は剥がれることもないので、長期に渡って利用でき、毎月、定期的にシールを張り替えれば良いため、極めて経済的である。
【図面の簡単な説明】
【００１３】
【図１】本願考案の全体像を示す概略図
【図２】二次元コードリーダーで読み取った情報
【図３】二次元コードシールシート
【考案を実施するための最良の形態】
【００１４】
以下、本願考案の実施例について説明する。本実施例で使用する個人情報が記録されている二次元コードは、その代表例であるマトリックス型二次元コードのＱＲコード（登録商標）である。
【００１５】
当該ＱＲコード（登録商標）は、樹脂製のシールとなっており、フィルムシートから簡単に剥がして、人体の一部（ここでは手又は足の親指の爪）に貼り付け可能な大きさとなっている。なお、シールの粘着力は、爪に貼り付けた際に、容易に剥がれない程度で、かつ貼り直しが可能な程度であれば、特に制限はない。またフィルム素材も、通常のシールに用いる一般的な樹脂材であればよく、特別のものでなくて良い。
【００１６】
図１に示すとおり、フィルムシートからなるＱＲコード（登録商標）を、手又は足の親指の爪に貼り付けた後、光硬化性樹脂として市販のジェルネイルを用いて表面を塗布し、更に市販のＬＥＤライトを用いて、これを硬化させることで、強固に固着される。ネイルに慣れた女性でなくても、誰でも簡単に貼り付けることができる。
【００１７】
市販のジェルネイルでも、通常、約１カ月間は有効に機能するため、ＱＲコード（登録商標）シールの貼り替えは、１カ月程度の周期で良く、介護者の作業負担も少なくて済み、かつ極めて経済的である。なお何らかの外的要因により、定期貼り替え前にＱＲコード（登録商標）が不鮮明になったり、或いは一部が欠けてしまった場合には、新たに貼り替えれば良く、そのための目視チェックも簡単である。
【００１８】
当該ＱＲコード（登録商標）には、最低限、個人を特定可能な情報として、氏名、生年月日、現住所、連絡先電話番号を記録している。更には、発見時に健康状態が危ない場合等を想定し、血液型、持病、服用薬等の医療情報も合わせて記録しておくことが望ましい。
【００１９】
実際の運用に当たっては、地方自治体と住民との間の徘徊老人支援策として実施し、要望のあった住民（家族、親族、身元引受人等）から入手した個人情報をもとに二次元コードシールシートを自治体で作成して配布し、家族、介護者等が該当する老人の爪に貼り付け、その上に市販されている光硬化性樹脂であるジェルネイルを塗布し、市販のＬＥＤライトを使って強固にコーティングすれば良く、自治体担当者が徘徊老人を発見した際には、二次元コードリーダーを用いて個人情報と連絡先を読取ることで、図２に示すとおり、容易に身元を特定でき、家族や身元引受人にすぐさま電話連絡することが可能となる。
【００２０】
地方自治体が作成する二次元コードシールシートは、例えば図３に示すようにＡ４版サイズのシートに、複数のＱＲコード（登録商標）シールを並べたものであり、使用者は、使用するごとに１枚づつ剥がして爪に貼り付けるようする。住所情報や連絡先電話番号等が変更になった際には、新たなシールを作成する。地方自治体は、これらの情報をデータベースとして保存し、定期的にシールを作成して、身元引受人に配布する。
【００２１】
地方自治体担当者が、当該ＱＲコード（登録商標）シールを爪に貼ってある徘徊老人を発見した場合、ＱＲコード（登録商標）リーダーを用いて、個人情報を読み取り、リーダーの表示器に表示される連絡先電話番号に電話することで、すぐさま家族等に連絡可能となる。なお、精度にもよるが、特別なリーダーを用いずに、スマートフォンを利用して読取り、記録情報を表示するようにしても良い。
【００２２】
当該ＱＲコード（登録商標）シールは、転写式のものであってもよく、また、爪に比べて容易に剥がれ易くなるものの、皮膚に転写するもの（タトゥーシール）であっても良い。
【００２３】
なお、本実施例では二次元コードとしてＱＲコード（登録商標）を用いているが、バーコードでも良く、個人情報等が記録可能な二次元コードであれば何でも良い。
【符号の説明】
【００２４】
１  二次元コード（ＱＲコード（登録商標））シール
２  二次元コードシールシート
【図１】
0003196437.tif 000003
【図２】
0003196437.tif 000004
【図３】
0003196437.tif 000005
【手続補正書】
【提出日】平成27年1月7日(2015.1.7)
【手続補正１】
【補正対象書類名】実用新案登録請求の範囲
【補正対象項目名】全文
【補正方法】変更
【補正の内容】
【実用新案登録請求の範囲】
【請求項１】
徘徊老人の身元確認システムであって、
樹脂フィルムに印刷され、人体の一部に貼り付け可能な個人情報が記録された二次元コードシールと、
前記二次元コードシールに記録された個人情報を読取機で読取る手段、
から構成されることを特徴とする徘徊老人の身元確認システム。
【請求項２】
二次元コードが、バーコード又はマトリックス型二次元コードである、
ことを特徴とする請求項１に記載の徘徊老人の身元確認システム。
【請求項３】
前記二次元コードシールは、手又は足の爪に貼り付けるシールである、
ことを特徴とする請求項１又は２に記載の徘徊老人の身元確認システム。
【請求項４】
手又は足の爪に貼り付けた前記二次元コードシールの表面を塗布する光硬化性樹脂と、当該光硬化性樹脂を硬化させるＬＥＤライトを更に有する、
ことを特徴とする請求項３に記載の徘徊老人の身元確認システム。
【請求項５】
前記二次元コードに記録される個人情報は、少なくとも氏名、生年月日、現住所、連絡先電話番号であり、更には血液型、持病、服用薬等の医療情報である、
ことを特徴とする請求項１ないし４のいずれか１項に記載の徘徊老人の身元確認システム。